(57)【要約】【課題】頭髪染色時等に用い、頭頂部および後頭部を写すことができる小型のバックミラーを提供する。【解決手段】全体を矩形、長円または楕円形状の平板、平板部の上側部に円弧部を設けた形状、平板部の上側部と左右両側部に円弧部を設けた形状、または全体を下端から上端にかけて円弧形状とした一枚のミラー本体２と、該ミラー本体２から一体または連結して突設する支軸５と、該支軸５と一体または着脱自在に連結する支持体６を備え、ミラー本体２は支持体６に対して支軸５を介して前傾姿勢で保持できるようにし、該ミラー本体２で頭頂部および後頭部を正面側に配置される別のミラーで写せる構成とし、支持体６は背負い型、自立型、壁掛け式ミラー載置式ミラーへの取付型、あるいは洗面化粧台へ固定している。【選択図】図１
2010213731.tif 000002
【特許請求の範囲】
【請求項１】
全体を矩形、長円または楕円形状の平板、平板部の上側部に円弧部を設けた形状、平板部の上側部と左右両側部に円弧部を設けた形状、または全体を下端から上端にかけて円弧形状とした一枚のミラー本体と、
前記ミラー本体から一体または連結して突設する支軸と、
前記支軸と一体または着脱自在に連結する支持体を備え、
前記ミラー本体は前記支持体に対して支軸を介して前傾姿勢で保持できるようにし、該ミラー本体で頭頂部および後頭部を正面側に配置される別のミラーで写せる構成とし、
かつ、前記支持体は背負い型、自立型または正面側ミラー等の他部材への取付型としている頭髪用バックミラー。
【請求項２】
前記支軸を前後方向に回転可能に支承する軸受部を前記支持体に設け、前記ミラー本体を前記前傾姿勢から後傾姿勢に変えて保持できる構成としている請求項１に記載の頭髪用バックミラー。
【請求項３】
前記軸受部で前記ミラー本体を左右方向に回転可能に支承し、前記ミラー本体を前傾姿勢、右傾斜姿勢、および左方向に傾斜姿勢を変えて保持できる構成としている請求項１または請求項２に記載の頭髪用バックミラー。
【請求項４】
前記支持体は背負い型とし、左右一対の肩取付部と、該左右の肩取付部の間に連結する背面側へ突出させた連結部を備え、該連結部に前記軸受部材を介して前記支軸を連結している請求項１乃至請求項３に記載の頭髪用バックミラー。
【請求項５】
前記左右一対の肩取付部は、肩峰に被せて固定する半円環状のクリップを備え、該クリップの内周面に上側縁を固着した腕通し用の弾性材からなる円環材を備えている請求項４に記載の頭髪用バックミラー。
【請求項６】
前記支軸と一体または着脱自在に連結する支持体はクリップからなり、該クリップを前記別のミラーの周縁に着脱自在に係止して取り付ける構成としている請求項１乃至請求項３のいずれか１項に記載の頭髪用バックミラー。
【請求項７】
前記支軸と一体に連結する支持体を前記別のミラーの周縁に固定している請求項１乃至請求項３のいずれか１項に記載の頭髪用バックミラー。
【請求項８】
前記別のミラーは洗面化粧台のサイドミラーである請求項１〜３、７に記載の頭髪用バックミラー。
【請求項９】
前記別のミラーは洗面化粧台の正面側ミラーであり、該正面側ミラーの周縁の枠部に前記支持体を着脱自在または固定している請求項１〜３、７に記載の頭髪用バックミラー。
【請求項１０】
前記ミラー本体は薄板の樹脂板の鏡面にミラーフィルムを貼着して軽量化している請求項１乃至請求項９のいずれか１項に記載の頭髪用バックミラー。
【発明の詳細な説明】
【技術分野】
【０００１】
本発明は頭髪用バックミラーに関し、詳しくは、家庭で頭髪の染色（所謂、ヘヤーカラーダイ）をする場合に、正面側のミラーで後頭部および頭頂部を見ながら頭髪染色する場合、後頭部や頭頂部に部分的に「かつら」や「付け毛」をする場合、さらに、後頭部のヘアーメイクや髪飾りを取り付ける場合にも利用できるバックミラーに関する。
【背景技術】
【０００２】
この種の頭髪用バックミラーを本出願人は特許第４１６６５４７号公報を提供している。該バックミラーは図１６（Ａ）（Ｂ）に示すように、ミラー本体１００を後頭部および頭頂部を囲む円弧形状とし、該ミラー本体１００に支持体１１０を備え、支持体１１０を肩にかける背負い型あるいは自立型としている。
前記バックミラーは、頭部にバックミラーを被って、正面側のミラーで後頭部および頭頂部を映しながら自分で頭髪の染色が手軽にできる利点を有する。
【先行技術文献】
【特許文献】
【０００３】
【特許文献１】特許第４１６６５４７号公報
【発明の概要】
【発明が解決しようとする課題】
【０００４】
特許文献１のバックミラーは、ミラー本体を頭頂部、後頭部、両側部を覆う大きさとして頭部に被るものとしているため、不使用時にスペースをとる問題があり、その点で改良の余地がある。
【０００５】
本発明は前記問題を解決するものであり、ミラー本体を不使用時にスペースを取らないようにし、できるだけ小さくしながら、使用時に頭頂部および後頭部が見えるようにし、かつ、使い勝手を良くして、前記特許文献１のバックミラーを種々の点で改良することを課題としている。
【課題を解決するための手段】
【０００６】
前記課題を解決するため、本発明は、全体を矩形、長円または楕円形状の平板、平板部の上側部に円弧部を設けた形状、平板部の上側部と左右両側部に円弧部を設けた形状、または全体を下端から上端にかけて円弧形状とした一枚のミラー本体と、
前記ミラー本体から一体または連結して突設する支軸と、
前記支軸と一体または着脱自在に連結する支持体を備え、
前記ミラー本体は前記支持体に対して支軸を介して前傾姿勢で保持できるようにし、該ミラー本体で頭頂部および後頭部を正面側に配置される別のミラーで写せる構成とし、
かつ、前記支持体は背負い型、自立型または正面側ミラー等の他部材への取付型としている頭髪用バックミラーを提供している。
【０００７】
前記のように、頭の後側に配置するミラー本体を前傾姿勢とすると、頭頂部および後頭部を前側の正面に位置する別のミラーで写すことができる。
ミラー本体は不使用時にかさ張らないように矩形状等の平板としても、前記のように前傾姿勢で保持すると、頭頂部および後頭部を写すことができる。
かつ、ミラー本体を平板部の上側部または上側部と左右両側部、さらに全体を下端から上端にかけて大きな曲率の円弧を設けた場合、前記前傾姿勢とすると、頭頂部および後頭部の左右両側をより明確に写すことができる。
前記ミラー本体に取り付ける支軸を前記支持体と一体成形で設けて、ミラー本体を前傾姿勢で固定しても良いし、前記支軸と支持体とを別体として着脱自在に連結してもよい。  このように、ミラー本体を平板または直線に近い大きな曲率の円弧とした形状とすることで、かさ張らず、ミラー本体を小型化しながら、正面側の一枚ミラーあるいは三面鏡で写せない頭頂部および後頭部を写すことができる。
【０００８】
前記支軸を前後方向に回転可能に支承する軸受部を前記支持体に設け、前記ミラー本体を前記前傾姿勢から垂直姿勢、さらに、後傾姿勢に変えて保持できる構成とすることが好ましい。
このようにミラー本体を前傾姿勢から後傾姿勢へと変えることができると、後頭部とミラー本体との間隔を調整できる。
具体的には、例えば、ミラー本体の左右両側から支軸を突設し、該支軸を支持体から突設した軸部の上端に設けた軸受部にギア等を介して回転自在に嵌合している。あるいは、支軸の下端に半円筒部を設け、支持体に設けた軸部に９０度程度回転可能に嵌合している。  
【０００９】
さらに、前記軸受部で前記ミラー本体を左右方向に回転可能に支承し、前記ミラー本体を前傾姿勢、右傾斜姿勢、および左方向に傾斜姿勢を変えて保持できる構成とすることが好ましい。
該構成とすると、頭頂部および後頭部を完全に写したい場合はミラー本体を前傾姿勢にでき、左右の後側部を完全に写したい場合はミラー本体を左側あるいは右側への傾斜姿勢にすることができる。
このように、ミラー本体を傾動させると、ミラー本体をより小型化でき、頭頂部、後頭部、後頭部の左右両側を確実に写すことができる。
【００１０】
前記のように、ミラー本体を前傾姿勢、左右傾動姿勢とする場合、例えば、前記ミラー本体に前記支軸を突設し、該支軸の下端に球状軸部を設ける一方、支持体に前記球状軸部を回転自在に囲む内嵌する円弧状内周面を有する球面軸受を設けている。前記球状軸部に設けた凹部にバネを介して係止部を取り付ける一方、前記軸受部材の内周面の左右方向に一対の保持孔、背面側に一つの保持孔を設け、かつ、これらの保持孔の間にガイド溝を設け、
前記球状軸部は前記バネを圧縮して係止部は前記円弧状内周面を摺動し、前記保持孔のいずれか１つと前記係止具が係合すると、該係合状態を前記バネで付勢して保持する構成としている。
【００１１】
前記ミラーを後頭部側に配置する支持体は、前記のように、背負い型、自立型、他部材への取付型のいずれでもよい。
頭髪の毛染めをする場合は、通常、洗面台の前に立って、洗面台の鏡を見ながら毛染めをする場合が多い。あるいは、風呂場内で風呂場に取り付けられた鏡を見ながら毛染めする場合が多い。
いずれの場合も、支持体を取り付ける他部材は種々となり、取付部の大きさ、太さが相違するため、支持体に設けた１つの取付具で種々多様な他部材に取り付けることは容易ではない。また、自立型とすると、使用者の背面側に自立させなければならず、使用者の体が当たると倒れる恐れがある。
よって、使用者が洗面台の鏡の前に立って行う起立姿勢、椅子等に座った着座姿勢のいずれの場合にも、簡単に本バックミラーを使用者の後頭部の後方に配置するには、背負い型が使い易い。
かつ、背負い式とすると、ミラー本体を支軸を介して背負い式の支持体に前傾姿勢で固定した場合、肩への取り付け角度を若干変えるだけで、ミラー本体を垂直姿勢さらに後傾姿勢に変えることができる。
【００１２】
前記背負い型とする場合、左右一対の肩取付材と、該左右肩取付部の間に連結する背面側へ突出させたコ字形状または円弧形状の連結材を備え、該連結材に前記軸受部材を設けていることが好ましい。
【００１３】
詳細には、前記左右一対の肩取付部は、肩峰に被せて固定する半円環状のクリップを備え、該クリップの内周面に上側縁を固着した腕通し用の弾性材からなる円環材を備えている。
前記クリップを樹脂製とすると、該クリップと前記連結材とは一体成形することができる。また、クリップは別体の金属製として肩取付部に固定してもよい。
前記のように、クリップの内面側にゴム等の弾性体で形成した環状の腕通しを設けておくと、肩当たりを柔らかくできると共に、肩取付部を肩に保持している安定感を使用者に与えることができる。なお、クリップで肩に確実に取り付けることができれば、前記腕通し用の円環材は不要としてもよい。
【００１４】
前記ミラー本体の下端中央、背面側の下部中央あるいは左右両側端の下側部に前記支軸の取付部を突設し、該取付部に前記支軸の上端をネジ固定し、該支軸と前記連結材に設けた前記軸受部材とは予め組みつけて一体化しておいてもよい。
さらに、ミラー本体と、支軸と、支持体と別体とし、これらを組み立てることができるようにすると、販売時に梱包容積を小さくできると共に不使用時にも小さくでき、収容スペースを取らない利点がある。
【００１５】
前記のように背負い型とした場合、特に、ミラー本体は樹脂板の鏡面にミラーフィルムを貼着して軽量化していることが好ましい。
【００１６】
前記支軸と一体または着脱自在に連結する支持体はクリップとし、該クリップを前記別のミラーの周縁に着脱自在に係止して取り付ける構成としてもよい。
即ち、バックミラーは正面側に配置する別のミラーと合わせ鏡で頭髪の後頭部および頭頂部を写すため、正面側に配置するミラーの上下左右のいずれかの周縁にクリップで取り付けると、支軸の長さを一定の比較的短いものとすることができる。
【００１７】
さらに、前記支軸と一体に連結する支持体を前記別のミラーの周縁に固定してもよい。
この場合、正面側に配置する別のミラーとバックミラーとは予め連結セットされた状態としている。このように正面側ミラーとバックミラーとを一体にセットしておくと、正面側ミラーの正面側に間隔をあけてバックミラーを配置するため、バックミラーを他の部材に固定する必要はなくなる。
前記正面側ミラーは壁掛け式としてもよいし、該正面側ミラーの背面に上端をヒンジ結合したＵ形状の支脚を開閉自在に取り付けて載置式とすると、テーブル等の上に載置でき、任意の位置で簡単に正面側ミラーとバックミラーとで毛染めを行うことができる。かつ、支脚を畳むと壁掛け式とすることもできる。
このように、正面側ミラーとバックミラーとを蛇腹管等の支軸を介して連結しておく場合、正面側ミラーの背面側にバックミラー収容部を設け、バックミラーの不要時にはバックミラーを収容部に収容しておき、バックミラーの必要時に収容部から引き出すようにしてもよい。
【００１８】
また、前記正面側ミラーとして洗面化粧台のミラーを用い、洗面化粧台のミラーが三面境である場合は、開閉するサイドミラーに前記バックミラーに連結した支持体のクリップで連結すればよい。
また、洗面化粧台のミラーが正面ミラーの一面境である場合には、正面ミラーの外周の縁取り枠に前記バックミラーの支持体を予め固定して取り付けておいてもよい。
【発明の効果】
【００１９】
上述したように、本発明の頭髪用バックミラーは、ミラー本体を平板、該平板部の上側部あるいは平板部の上側と左右両側に大きな曲率の円弧を設けた形状、あるいは下端から上端にかけて大きな曲率の円弧を設けた形状の一枚板で形成しているため、かさ張らず、小型化および軽量化でき、不使用時の収容時にスペースをとらない。また、背負い型とした場合に、使用者の負担を大幅に低減できる。
かつ、前記のように、ミラー本体を略平板としながら、頭頂部および後頭部を正面側の鏡で写すことができ、毛染め時やバックヘヤーのメーキング時に今まで見られなかった頭頂部や後頭部を見ることができ、使い勝手が良いものとなる。
【００２０】
また、前記バックミラーを正面側ミラーと着脱自在あるいは一体的に連結しておくと、正面側ミラーから支軸を介してバックミラーを正面側ミラーと対向する位置まで容易に引き出すことができ、バックミラーの取付位置を探す必要がないため、使い勝手が良いものとなる。
【図面の簡単な説明】
【００２１】
【図１】本発明の第一実施形態のバックミラーを示し、（Ａ）は斜視図、（Ｂ）は側面図である。
【図２】（Ａ）（Ｂ）は使用状態を示す図面である。
【図３】（Ａ）〜（Ｇ）は第一実施形態の第一変形例乃至第七変形例を示す要部図面である。
【図４】第二実施形態のバックミラーを示す斜視図である。
【図５】第三実施形態のバックミラーを示し、（Ａ）はミラー本体の傾動状態を示す側面図、（Ｂ）は背面図である。
【図６】（Ａ）（Ｂ）はミラー本体の傾動機構を示す断面図である。
【図７】（Ａ）〜（Ｄ）は第四実施形態のバックミラーの傾動姿勢を示す図面である。
【図８】（Ａ）は第四実施形態のバックミラーの一部断面の側面図、（Ｂ）は球状軸部と球面軸受の水平断面図、（Ｃ）は球状軸部と球面軸受の垂直断面図である。
【図９】第一〜第四実施形態のバックミラーの使用状態を示す図面である。
【図１０】第五実施形態のバックミラーの他部材への取付状態を示す図面である。
【図１１】第六実施形態を示す図面である。
【図１２】第七実施形態を示す図面である。
【図１３】第七実施形態の変形例を示す図面である。
【図１４】第八実施形態を示す図面である。
【図１５】第八実施形態の変形例を示す図面である。
【図１６】（Ａ）（Ｂ）は従来例を示す図面である。
【発明を実施するための形態】
【００２２】
以下、本発明の実施形態を図面を参照して説明する。
図１および図２に第一実施形態を示す。
図１に示すように、頭髪用のバックミラー１は、１枚の縦長矩形状の平板からなるミラー本体２を備えている。該ミラー本体２は薄肉の樹脂板からなる背面板３と該背面板３の正面に貼着したミラーフィルム４とからなる。
前記背面板３の左右両側の下端部から一体的に後方傾斜させた左右一対の支軸５Ａ、５Ｂを突設し、該支軸５Ａ、５Ｂの他端を支持体６に連続させている。
【００２３】
支持体６は両側の肩取付部６ａ、６ｂの間に後方へ突出したコ字枠状の連結部６ｃを設けた形状としている。前記コ字枠状の連結部６ｃの後方突出部６ｃ−１の両側に下向後方へ傾斜させた前記支軸５Ａ、５Ｂの下端を連結している。
【００２４】
前記支持体６の肩取付部６ａ、６ｂに下向き円弧状のクリップ６ｄ、６ｅを一体的に設け、これらクリップ６ｄ、６ｅを肩峰から被せ、クリップ６ｄ、６ｅの円弧状に近接させた両側挟持部６ｄ−１、６ｅ−１で肩に固定できるようにしている。
かつ、該クリップ６ｄ、６ｅの内面にゴムからなる腕通し用の円環材７、７を上半円環部の外面を固着している。
【００２５】
前記支持体６のコ字枠状の連結部６ｃの後方への突出量と、ミラー本体１の前傾角度を調節して、ミラー本体１と使用者の後頭部ＨＲ、頭頂部ＨＴとの間に使用者の手および把持した櫛やハケが十分に入ると共に動作できる空間Ｃをあけている。
【００２６】
前記構成としたバックミラー１は、使用時に、図２（Ａ）に示すように、円環部７、７に左右の腕を通し、クリップ６ｄ、６ｅで肩に固定すると、支持体６で固定した支軸５Ａ、５Ｂは前傾姿勢となる。よって、支軸５Ａ、５Ｂで支持したミラー本体２を前傾姿勢に保持して使用者の後頭部ＨＲに間隔をあけて位置させることができる。
バックミラー１を背負って、洗面台の鏡ＦＭの前に立って毛染めやバックヘヤーのメーキングを行う時に、ミラー本体２で頭頂部ＨＴおよび後頭部ＨＲを写すことができる。
なお、頭頂部ＨＴはミラー本体２で囲まれていないため、毛染め時にミラー本体２に手が当たることはない。後頭部ＨＲの毛染め時やヘヤーメイキングに空間Ｃが狭い場合、図２（Ｂ）に示すように、クリップ６ｄ、６ｅを後方へ少し回転させるとミラー本体２を後傾させて、空間Ｃを拡げることができる。毛染め状態を確認する際に、図２（Ａ）の状態に戻せばよい。
【００２７】
図３（Ａ）〜（Ｇ）に第一実施形態の変形例を示す。
図３（Ａ）に示す第一変形例では、ミラー本体２を矩形状の平板部２ａの上側部に上下方向に大きな曲率で湾曲された円弧部２ｂを連続して設けている。該構成とすると、頭頂部ＨＴに沿った形状となり、より的確に頭頂部ＨＴを写すことができる。
なお、左右方向に大きな曲率で湾曲された円弧部を連続して設けてもよい。
【００２８】
図３（Ｂ）に示す第二変形例では、ミラー本体２の矩形状の平板部２ａの上側部に前記円弧部２ｂを設けると共に、平板部２ａの左右両側にも内側方向に大きな曲率で湾曲させた左右円弧部２ｂを連続して設けている。このように左右両側部を湾曲させると、後頭部ＨＲの左右両側に沿った形状となり、より的確に後頭部ＨＲの左右両側を写すことができる。
図３（Ｃ）に示す第三変形例では、ミラー本体２を下端から上端にかけて大きな距離率の円弧としている。
【００２９】
図３（Ｄ）に示す第四変形例では、ミラー本体２を楕円形状の平板としている。
図３（Ｅ）に示す第五変形例では、支軸５Ａ、５Ｂの下端にネジ孔５ｈを設け、支持体６の連結部６ｃに突設したネジ６ｍとネジ締めで連結し、組み立て式としてもよい。
さらに、ミラー本体２の背面板３にネジ筒を設け、支軸５Ａ、５Ｂの先端に設けたネジをねじ込んで着脱自在としてもよい。この場合、ミラー本体２、支軸５Ａ、５Ｂ、支持体６との３部品に分割される。このように組み立て式とすると、販売時の梱包容積を小さくできる。
図３（Ｆ）に示す第六変形例では、支持体６の肩取付部６ａ、６ｂは棒状とし、別体の金属製の円弧状のクリップ６ｄ−１、６ｅ−１の上端部を固定している。
【００３０】
図３（Ｇ）に示す第七変形例では、ミラー本体２の背面板３の中央下端から１本の支軸５を下向き傾斜させて突設し、支持体６の背面側へ円弧状に突出させた連結部６ｃの中央と連結している。かつ、ミラー本体２は前記図３（Ａ）に示す円弧形状としている。
【００３１】
図４に第二実施形態のバックミラー１−２を示す。
第二実施形態では、支持体６を左右に分割し、前記コ字枠状に突出した連結部６ｃを設けずに、左右の肩取付部６ａ、６ｂからＬ形状として後方へ突出させた支軸５Ａ、５Ｂを突設し、これら支軸５Ａ、５Ｂの縦軸部は前傾させている。
このように、支持体６を一体とせずに、分断して中央部をあけると、頭髪が長い場合に、邪魔になる連結部６ｃを無くすことができる。
【００３２】
図５（Ａ）（Ｂ）に第三実施形態のバックミラー１−３を示す。
第三実施形態では、ミラー本体２を前傾姿勢から後傾姿勢へと前後方向に回転できるようにしている。
ミラー本体２の背面板３の左右両端面の下部から左右一対の軸部１０Ａ、１０Ｂを突設し、前記支持体６の連結部６ｃから突設した左右一対の支軸１１Ａ、１１Ｂの上端に設けた軸受部１２Ａ、１２Ｂに回転自在に挿入している。
他の構成は第一実施形態と同様としているため、同一符号を付して説明を省略する。
【００３３】
図６（Ａ）に示すように、支軸１０Ａ、１０Ｂにギア１５を固定し、軸受部１２Ａ、１２Ｂに内周ギア１６ａを設けたギア１６を取り付けると、所要角度に回転させ、且つ停止保持できる。
【００３４】
一定角度の前傾姿勢と後傾姿勢の２位置に位置決め保持する場合には、ミラー本体２の背面板３の中央下部から突設した支軸５の下端に半円環状の筒５ａを固定し、支持体に設けた軸部６ｕに回転自在に外嵌している。軸部６ｕには凹部６ｎにバネ６ｐで付勢した係止具６ｍを取り付ける一方、筒５ａの内周面に２つの係止溝５ｂ、５ｃを設けている。係止溝５ｂに係止具６ｍが係止した状態で支軸５を介してミラー本体２を前傾姿勢とし、係止溝５ｃに係止具６ｍが係止した状態で支軸５を介してミラー本体２を後傾姿勢としている。
また、ミラー本体２は前記図３（Ａ）（Ｂ）（Ｃ）に示す形状としてもよい。
【００３５】
図７および図８に第四実施形態を示す。
第四実施形態では、ミラー本体２を、図７（Ａ）に示す前傾姿勢、図７（Ｂ）に示す右傾斜姿勢、図７（Ｃ）に示す左傾斜姿勢、図７（Ｄ）に示す後傾姿勢の４位置に変換できるようにしている。
【００３６】
図８（Ａ）に示すように、前記図３（Ｇ）と同様に、ミラー本体２の背面板３の中央下端から１本の支軸２０を突設し、該支軸２０の下端に球状軸部２１を固定している。一方、前記支持体６の連結部６ｃに球面軸受２２からなる軸受材を固定し、球状軸部２１を回転自在に内嵌している。
【００３７】
前記球状軸部２１は図８（Ｂ）の水平断面図、図８（Ｃ）の垂直断面図に示すように、外面に開口した１つの凹部２１ａを設け、該凹部２１ａ内にバネ２３を介して係止具２４を取り付けている。一方、前記球面軸受２２は内周面の背面側に上下に間隔をあけて保持孔２２ａ、２２ｂを設けていると共に、左右両側に左右方向に一対の保持孔２２ｃ、２２ｄを設けている。かつ、保持孔２２ａ〜２２ｄの間に連続したガイド溝２２ｅを設け、係止具２４をガイド溝２２ｅを通して保持孔２２ａ〜２２ｄへガイドしている。
球状軸部２１はバネ２３を圧縮して係止具２４が球面軸受２２のガイド溝２２ｅに沿って摺動し、前記保持孔２２ａ〜２２ｄのいずれか１つと嵌合すると、該嵌合状態をバネ２３で保持する構成としている。
【００３８】
前記のように、ミラー本体２を前傾姿勢、後傾姿勢、右傾斜姿勢、左傾斜姿勢のいずれかに回転して位置決め保持できると、ミラー本体２を小型かつ平板形状としても、ミラー本体２を回転させるだけで、見たい部分をみることができ、使い勝手の良いものとなる。かつ、後傾姿勢とすると、ミラー本体２と後頭部との空間を大きく空けることができる。
【００３９】
前記いずれの実施形態の頭髪用バックミラーも、毛染め時に、図９に示すように、バックミラーで後頭部ＨＲおよび頭頂部ＨＴを正面側のミラーＦＭに映すことができるため、片手でブラシＢを持ち、他方の手で染色液の容器Ｋを持って頭髪染色を行うことができる。
また、支持体を背負い型としているため、洗面所でミラーを見ながら立った姿勢でもバックミラーを使用することができ、かつ、両手が空くために、家庭において自分で頭髪染色を簡単かつ確実に行うことができる。背負った状態でバックミラーと頭部との間にブラシを持った手でスムーズに入る空間ができる。
【００４０】
図１０に第五実施形態を示す。
第五実施形態では、バックミラー１のミラー本体２の背面板３に蛇腹管３０からなる支軸を連結し、該支軸の他端にクリップからなる支持体３１を取り付け、該支持体３１を椅子等の他部材３３に取り付けている。
【００４１】
図１１に第六実施形態を示す。
第六実施形態は、前記第五実施形態と同様に、ミラー本体２に蛇腹管３０からなる支軸を連結し、該支軸の他端にクリップからなる支持体３１を取り付け、該支持体３１を正面ミラー４０とする壁掛けミラーの側端縁に取り付けている。
このように、正面ミラーにバックミラー１を連結すると、蛇腹管３０の長さを一定の短い長さとすることができる。
【００４２】
図１２に第七実施形態を示す。
第七実施形態では載置式の正面側ミラー４０とバックミラー１とに蛇腹管３０からなる支軸の両端を連結して、２枚の合わせミラーとして一体化している。
正面側ミラー４０の背面に、蛇腹管３０の一端に球面軸受４１を介して固定した支持体４２を固定する一方、該蛇腹管３０の他端を球面軸受４３を介してバックミラーのミラー本体２の背面板３に取り付けている。
【００４３】
正面側ミラー４０の背面板４５には、Ｕ形状とした支脚４６の両側枠４６ａの上端をヒンジ４７を介して取り付けており、ヒンジ４７を支点として支脚４６を開いてテーブル等の載置台４８上に載置できるようにしている。
【００４４】
このように、正面側ミラー４０と予めセットしておくと、バックミラーで写す正面側ミラーも用意されているため、任意のテーブル等の上に載置するだけで用いることができ、非常に使い勝手を良くすることができる。
【００４５】
図１３に第七実施形態の変形例を示す。
正面側ミラー４０の背面板４５を側面開口の枠状として、バックミラー収容部５０を設けている。該バックミラー収容部５０内にバックミラー１のミラー本体２、背面板３、該背面板３に連結した蛇腹管３０を引き出し自在に収容しておき、不要時には収容し、毛染めや後頭部を見る場合にバックミラー１を引き出し、蛇腹管３０を伸ばしてバックミラー１のミラー本体２を後頭部側に配置できるようにしている。
上記形状とすると、背面板４５の上部に吊り下げ材の取付金具５３も支脚４６と共に設けておくと、載置式と壁掛け式のいずれのタイプの正面側ミラー４０とバックミラー１とを連結しておくことができる。
【００４６】
図１４に第八実施形態を示す。
第八実施形態では、三面境を備えた洗面化粧台６０の開閉可能なサイドミラー６１の背面にバックミラー１の蛇腹管３０の先端を球面軸受を介して連結した支持体３１を固定している。
このように、洗面化粧台のサイドミラー６１に予めバックミラー１を引き出し可能に取り付けておくと、バックミラーの不要時にはサイドミラー６１の背面側の収容部にバックミラー１を収容しておくことができ、非常に使い勝手がよくなる。
【００４７】
図１５に第八実施形態の変形例を示す。
洗面化粧台６５が一面境で、正面側ミラー４０しかない場合、該正面側ミラー４０の周縁枠６６にバックミラー１の支持体３１を着脱自在または固定している。
【００４８】
前記した各実施形態の頭髪用バックミラーを用いると、従来は手探りで行っていた後頭部および頭頂部の頭髪染色を正面側のミラーを見ながら行うことができ、後頭部および頭頂部の染色すべき部分あるいは全体を漏れ無く確実に染色することができる。
このように、家庭で簡単かつ確実に頭髪染色を行うことができるため、根元部分が伸びてきても、また、染色部分が脱色しても、其の都度、美容院で頭髪染色をしてもらう必要がなくなり、時間と費用とをカットできる利点がある。
【００４９】
さらに、頭髪を染色する場合に限らず、頭頂部や後頭部に部分的にかつらや付け毛をする場合、後頭部の頭髪に装飾品を付ける場合、ヘヤーメイクをする場合、頭髪用バックミラーを見ながら行うことができる。さらに、育毛剤を付けている場合には、単に頭頂部や後頭部の頭髪の状態を見たい場合にも利用できる。
【符号の説明】
【００５０】
１  バックミラー
２  ミラー本体
３  背面板
４  ミラーフィルム
５、５Ａ、５Ｂ  支軸
６  支持体
６ａ、６ｂ  肩取付部
６ｃ  連結部
６ｄ、６ｅ  クリップ
７  円環材
３０  蛇腹管
４０  正面側ミラー
６０、６５  洗面化粧台
【図１】
2010213731.tif 000003
【図２】
2010213731.tif 000004
【図３】
2010213731.tif 000005
【図４】
2010213731.tif 000006
【図５】
2010213731.tif 000007
【図６】
2010213731.tif 000008
【図７】
2010213731.tif 000009
【図８】
2010213731.tif 000010
【図９】
2010213731.tif 000011
【図１０】
2010213731.tif 000012
【図１１】
2010213731.tif 000013
【図１２】
2010213731.tif 000014
【図１３】
2010213731.tif 000015
【図１４】
2010213731.tif 000016
【図１５】
2010213731.tif 000017
【図１６】
2010213731.tif 000018